(57)【要約】      （修正有）【課題】容易に重量物である駆動装置を揚重することのできるエレベータの揚重装置の提供する。【解決手段】ロープを介して連結された乗かご６と釣瓶式に昇降するつり合い錘５と隣接するよう設けられ、前記ロープへ駆動力を伝達することにより乗かご６およびつり合い錘５を昇降させる駆動装置２を揚重するエレベータの揚重装置において、つり合い錘５の昇降をガイドするカウンタレール４に取付けられるとともに、駆動装置２の垂直投影面上に位置するようカウンタレール４から延設され、駆動装置２の吊点となる吊雇い１を設けた構成としてある。【選択図】図１
2006193231.tif 000002
【特許請求の範囲】
【請求項１】
ロープを介して連結された乗かごと釣瓶式に昇降するつり合い錘と隣接するよう設けられ、前記ロープへ駆動力を伝達することにより前記乗かごおよび前記つり合い錘を昇降させる駆動装置を揚重するエレベータの揚重装置において、
前記つり合い錘の昇降をガイドするカウンタレールに取付けられるとともに、前記駆動装置の垂直投影面上に位置するよう前記カウンタレールから延設され、前記駆動装置の吊点となる吊雇いを設けたことを特徴とするエレベータの揚重装置。
【請求項２】
請求項1記載のエレベータの揚重装置において、
前記駆動装置および前記つり合い錘をそれぞれの配設方向がほぼ同一直線上となるよう配設するとともに、前記吊雇いは、前記カウンタレールから延設され前記吊点となる吊りアームと、この吊りアームと前記カウンタレールとを連結する補強アームとを備えて成ることを特徴とするエレベータの揚重装置。
【請求項３】
請求項２記載のエレベータの揚重装置において、
前記駆動装置および前記つり合い錘をそれぞれの配設方向が直交する方向に略L字状となるよう配設するとともに、前記補強アームは、前記駆動装置と隣接する位置に配設され前記乗かごの昇降をガイドするメインレールと前記吊りアームとを連結することを特徴とするエレベータの揚重装置。
【発明の詳細な説明】
【技術分野】
【０００１】
本発明は、エレベータの揚重装置に関する。
【背景技術】
【０００２】
一般的にエレベータの据付や改修時には、エレベータの各機材を吊上げるために揚重装置を設置している。
【０００３】
従来、揚重装置の一例として、エレベータ乗場開口部から昇降路内に向けて吊点を延設し、この吊点を用いてエレベータの各機材を揚重するものが知られている（特許文献１、２を参照）。
【特許文献１】特開２００１−３５４３７４号公報(図１)
【特許文献２】特開２０００−２３８９７２号公報(図１)
【発明の開示】
【発明が解決しようとする課題】
【０００４】
しかし、前述した従来の揚重装置では、揚重対象となる機材の垂直投影面上に位置するよう吊点を設けることが必ずしもできないという不都合があった。すなわち、エレベータを駆動する駆動装置のように約３００〜４００kgもあるような重量物を揚重する場合に、この駆動装置の垂直投影面上に吊点がないと、駆動装置をその設置位置へ固定する際に作業者が駆動装置を支えなくてはならず、作業者への肉体的負担が大きくなり、作業効率も悪化するといった問題があった。
【０００５】
本発明は、前述した問題点に鑑みてなされたもので、その目的は、容易に重量物である駆動装置を揚重することのできるエレベータの揚重装置を提供するにある。
【課題を解決するための手段】
【０００６】
前記目的を達成するため、ロープを介して連結された乗かごと釣瓶式に昇降するつり合い錘と隣接するよう設けられ、前記ロープへ駆動力を伝達することにより前記乗かごおよび前記つり合い錘を昇降させる駆動装置を揚重するエレベータの揚重装置において、前記つり合い錘の昇降をガイドするカウンタレールに取付けられるとともに、前記駆動装置の垂直投影面上に位置するよう前記カウンタレールから延設され、前記駆動装置の吊点となる吊雇いを設けたことを特徴とする。
【０００７】
このように構成した請求項１に係わる発明によれば、駆動装置の垂直投影面上に吊点を設けたため、作業者に負担を小さくし容易にその揚重作業を行うことが出来る。
【０００８】
また、請求項２に係わる本発明は、請求項1記載のエレベータの揚重装置において、前記駆動装置および前記つり合い錘をそれぞれの配設方向がほぼ同一直線上となるよう配設するとともに、前記吊雇いは、前記カウンタレールから延設され前記吊点となる吊りアームと、この吊りアームと前記カウンタレールとを連結する補強アームとを備えて成ることを特徴とする。
【０００９】
このように構成した請求項２に係わる本発明によれば、吊雇いを、吊点となる吊りアーム、およびこの吊りアームとカウンタレールとの間を連結する補強アームとすることにより、装置の剛性を大きいものとし、重量物である駆動装置を支障なく揚重することができる。
【００１０】
さらに、請求項３に係わる本発明は、請求項２記載のエレベータの揚重装置において、前記駆動装置および前記つり合い錘をそれぞれの配設方向が直交する方向に略L字状となるよう配設するとともに、前記補強アームは、前記駆動装置と隣接する位置に配設され前記乗かごの昇降をガイドするメインレールと前記吊りアームとを連結することを特徴とする。
【００１１】
このように構成した請求項３に係わる本発明によれば、補強アームにより乗かごの昇降をガイドするメインレールと吊りアームとを連結することにより、駆動装置およびつり合い錘の配設方向が直交する方向に略L字状となるエレベータにあっても、同一の揚重装置により駆動装置を揚重することができる。
【発明の効果】
【００１２】
本発明によれば、容易に重量物である駆動装置を揚重することができ、したがって、作業者への肉体的負担を軽減するとともに、作業効率の向上を図ることができる。
【発明を実施するための最良の形態】
【００１３】
以下、本発明の実施の形態を図面に基づいて説明する。
【００１４】
図１は本発明のエレベータの揚重装置の一実施形態を示す昇降路断面図、図２は吊雇いの拡大平面図、図３は吊雇いの拡大側面図、図４は本発明の揚重装置が適用されるエレベータの全体構成を示す斜視図、図５は本発明のエレベータの揚重装置の他の実施形態を示す昇降路断面図、図６は吊雇いの拡大平面図、図７は吊雇いの拡大側面図、図８は本発明の揚重装置が適用される異なる構造のエレベータの全体構成を示す斜視図である。
【００１５】
まず、本実施形態で揚重装置を用いるエレベータの構造について図４を用いて説明する。
【００１６】
図４に示すように、乗かご６とつり合い錘５とはロープ８を介して連結されており、このロープ８に駆動装置２が駆動力を伝達することにより、乗かご６とつり合い錘５とが昇降路７内を釣瓶式に昇降する構成となっている。
【００１７】
また、乗かご６とつり合い錘５とは、それぞれ一対のメインレール３とカウンタレール４とにガイドされて昇降路７内を昇降する構成である。
【００１８】
なお、駆動装置２およびつり合い錘５は、それぞれの配設方向がほぼ同一直線上に位置するよう乗かご６の背面方向の昇降路壁に沿って配設される構造である。
【００１９】
次に、本発明であるエレベータ駆動装置の揚重装置の構成について、図１から図３に基づき説明する。
【００２０】
本実施形態の揚重装置は図１から図３に示すとおり、カウンタレール４に取付けられるとともに、駆動装置２の垂直投影面上に位置するようカウンタレール４から延設され駆動装置２の吊点となる吊雇い１を有して構成されている。
【００２１】
また吊雇い１は、カウンタレール４から延設され吊点となるアイボルト１１ａが取付けられる吊りアーム１ａと、この吊りアーム１ａとカウンタレール４とを連結する補強アーム１ｂとを備えて構成されている。
【００２２】
そして吊りアーム１ａは、吊りアーム１ａの背面に取付けられる受けブラケット１２ａと、この受けブラケット１２ａをカウンタレール４に取付けるレールクリップ１３ａとを備えて構成されており、受けブラケット１２ａおよびレールクリップ１３ａを介してカウンタレール４に支持される構成となっている。
【００２３】
また、補強アーム１ｂは、補強アーム１ｂに取付けられる上部ブラケット１１ｂと、この上部ブラケット１１ｂの底面に取付けられるとともにカウンタレール４にレールクリップ１３ｂを介して取付けられる下部ブラケット１２ｂとを有して構成されている。
【００２４】
この吊雇い１のカウンタレール４への取付方法としては、まず、受けブラケット１２ａをレールクリップ１３ａを用いてカウンタレール４に取付け、この受けブラケット１２ａに吊りアーム１ａをつり合い錘５と同一直線上になるよう取付ける。次いで、駆動装置２の吊り芯と、吊点となる吊りアーム１ａのアイボルト１１ａとが垂直投影面上に位置するようアイボルト１１ａを取付ける。そして最後に、補助アーム１ｂの一端を、カウンタレール４に上下部ブラケット１１ｂ、1２ｂを介して取付け、補助アーム１ｂの他端を吊りアーム１ａと繋ぐことで吊雇い１の取付作業を完了する。
【００２５】
本実施形態によれば、以上のように駆動装置２とつり合い錘５間に設置されるカウンタレール４に吊雇い１を設置したため、駆動装置２がつり合い錘５の同一直線上に隣接して設置されるエレベータにあって、駆動装置２の吊り芯の垂直投影面上に吊雇い１の吊点(アイボルト１１ａ)を位置させることができ、したがって、容易に重量物である駆動装置２を揚重することができる。また、吊りアーム１ａを、上下部ブラケット１１ｂ、１２ｂおよび受けブラケット１２ａの２点でカウンタレール４に取付けることが出来るため剛性の高い構造とすることができる。
【００２６】
次に本発明であるエレベータ駆動装置の揚重装置の他の実施形態について図５から図８に基づいて説明する。
【００２７】
まず、他の実施形態の揚重装置が適用されるエレベータの構造について図８を用いて説明する。
【００２８】
この図８のエレベータの構造において、前述した図４のエレベータの構造と異なる点は、駆動装置２の配置であり、他の構造はほぼ同一である。すなわち、駆動装置２は、図に示すとおり乗かご６の側面に対向する昇降路壁に沿って配設されており、駆動装置２およびつり合い錘５は、それぞれの配設方向が直交する略L字状に位置するようになっている。
【００２９】
次に、他の実施形態のエレベータの揚重装置の構成について図５から図７に基づき説明する。
【００３０】
他の実施形態の揚重装置の主要部である吊雇い１は、先の実施形態の吊雇い１とその構成部材は同一であるがその取付方法(位置)が異なっている。
【００３１】
この吊雇い１の取付方法としては、まず、受けブラケット1２ａをレールクリップ１３ａを用いてカウンタレール４に取付け、この受けブラケット１２ａから駆動装置２の方向に向かって吊りアーム１ａを取付ける。よって、この吊りアーム１ａは、つり合い錘５の配設方向と直交する方向に略L字の配置となるよう配設されることとなる。次いで、駆動装置２の吊り芯と、吊点となる吊りアーム１ａのアイボルト１１ａとが垂直投影面上に位置するようアイボルト１１ａを取付ける。そして最後に、補助アーム１ｂの一端を吊りアーム１ａと繋ぎ、補助アーム１ｂの他端を駆動装置２と隣接する位置に配設されるメインレール３に上下部ブラケット１１ｂ、１２ｂを介して取付けることで吊雇い１の取付作業を完了する。
【００３２】
他の実施形態によれば、駆動装置２がつり合い錘５と直交する略L字状に位置するよう配設されていたとしても、吊りアーム１ａのカウンタレール４に対する取付向きを変えるとともに、補強アーム１ｂの他端をメインレール３へ取付けることにより、前述した実施形態に示すものと同一の部材で吊雇い１を取付けることができる。すなわち、本発明の揚重装置は駆動装置２とつり合い錘５との配設方向が異なるタイプのエレベータに対応可能であり、その駆動装置２を揚重することができる。
【００３３】
また、他の実施形態にあっても、駆動装置２の吊り芯の垂直投影面上に吊雇い１の吊点(アイボルト１１ａ)を位置させることができ、したがって、容易に重量物である駆動装置２を揚重することができる。
【図面の簡単な説明】
【００３４】
【図１】本発明のエレベータの揚重装置の一実施形態を示す昇降路断面図である。
【図２】吊雇いの拡大平面図である。
【図３】吊雇いの拡大側面図である。
【図４】本発明の揚重装置が適用されるエレベータの全体構成を示す斜視図である。
【図５】本発明のエレベータの揚重装置の他の実施形態を示す昇降路断面図である。
【図６】吊雇いの拡大平面図である。
【図７】吊雇いの拡大側面図である。
【図８】本発明の揚重装置が適用される異なる構造のエレベータの全体構成を示す斜視図である。
【符号の説明】
【００３５】
１        吊雇い
１ａ      吊りアーム
１ｂ      補強アーム
２        駆動装置
３        メインレール
４        カウンタレール
５        つり合い錘
６        乗かご
７        昇降路
８        ロープ
１１ａ    アイボルト
１１ｂ    上部ブラケット
１２ａ    受けブラケット
１２ｂ    下部ブラケット
１３ａ    レールクリップ
１３ｂ    レールクリップ
【図１】
2006193231.tif 000003
【図２】
2006193231.tif 000004
【図３】
2006193231.tif 000005
【図４】
2006193231.tif 000006
【図５】
2006193231.tif 000007
【図６】
2006193231.tif 000008
【図７】
2006193231.tif 000009
【図８】
2006193231.tif 000010